【手続補正書】
【提出日】平成20年7月29日(2008.7.29)
【手続補正１】
【補正対象書類名】明細書
【補正対象項目名】発明の名称
【補正方法】変更
【補正の内容】
【発明の名称】アダプタ
【手続補正２】
【補正対象書類名】明細書
【補正対象項目名】特許請求の範囲
【補正方法】変更
【補正の内容】
【特許請求の範囲】
【請求項１】  電子機器の電気接続部を当該電子機器と異なる電子機器用のスロットの接点に電気的に接続するアダプタであって、
前記スロットの接点と電気的に接続する第１のコネクタと、
前記第１のコネクタと電気的に接続され、前記電子機器の電気接続部と電気的に接続する第２のコネクタと、
前記第１および第２のコネクタが設けられたシャーシと、
前記シャーシに設けられ、前記電子機器の電気接続部と前記第２のコネクタとを電気的に接続可能にする第１の位置と前記電子機器の電気接続部と前記第２のコネクタとを電気的に接続できなくする第２の位置との間で変位し、前記第１の位置から前記第２の位置に向けて前記電子機器を押圧可能な押圧部材と、
前記シャーシに対して移動可能に設けられたイジェクトレバーと、
前記イジェクトレバーの動きを前記押圧部材に伝達する伝達部材を有することを特徴とするアダプタ。
【請求項２】  前記伝達部材は、前記シャーシに回転軸を介して回動可能に設けられ、一端が第１の連係部を介して前記押圧部材と連係され、他端が第２の連係部を介して前記イジェクトレバーと連係され、前記押圧部材と前記イジェクトレバーとを連動させるアームであることを特徴とする請求項１に記載のアダプタ。
【請求項３】  前記押圧部材の両端部を常時第１の位置から第２の位置に向けて付勢する一対の付勢部材を具備し、前記押圧部材が前記付勢部材の付勢力によって第１の位置から第２の位置に向けて変位するよう構成されていることを特徴とする請求項１または２に記載のアダプタ。
【請求項４】  前記回転軸は中心部に回転軸を有し、前記シャーシと一体的に形成されていることを特徴とする請求項１または２に記載のアダプタ。
【請求項５】  前記回転軸に支持された前記アームの離脱を防止する離脱防止手段を有することを特徴とする請求項２ないし４のいずれかに記載のアダプタ。
【請求項６】  前記アームの回転角度を制限する制限手段を有することを特徴とする請求項２ないし５のいずれかに記載のアダプタ。
【請求項７】  前記第１の連係部は、前記押圧部材の幅方向のほぼ中央部に位置するよう構成されていることを特徴とする請求項１ないし６のいずれかに記載のアダプタ。
【請求項８】  前記第１の連係部は、前記アームおよび前記押圧部材の一方に設けられた突部と、他方に設けられた孔部とによって構成されていることを特徴とする請求項２ないし７のいずれかに記載のアダプタ。
【請求項９】  前記孔部は、前記突部の直径とほぼ同一の幅を有する長孔状に形成されており、前記突部が前記アームの回動時に前記孔部に沿って移動可能に構成されていることを特徴とする請求項８に記載のアダプタ。
【請求項１０】  前記アームは、金属板材によって形成されており、前記突部は、前記アームの端部をバーリング加工することによって前記アームと一体的に形成されていることを特徴とする請求項８または９に記載のアダプタ。
【請求項１１】  前記第２の連係部は、前記アームの他端に設けられた連係片と、前記イジェクトレバーに設けられ、前記連係片と係合する連係片収容部とによって構成されていることを特徴とする請求項２ないし１０のいずれかに記載のアダプタ。
【請求項１２】  前記連係片は、前記連係片収容部に対する該連係片の位置を調節する段部を介して前記アーム本体と一体的に形成されていることを特徴とする請求項１１に記載のアダプタ。
【請求項１３】  前記押圧部材が第２の位置に到達した際に、該押圧部材を第２の位置に保持する保持手段を有することを特徴とする請求項１ないし１２のいずれかに記載のアダプタ。
【請求項１４】  前記保持手段は、前記押圧部材に固定され、係合突部を有する弾性片と、前記シャーシに形成された係合孔部とから構成されており、該弾性片の係合突部が、前記シャーシに形成された係合孔部に係合することによって、前記押圧部材を第２の位置に保持するよう構成されていることを特徴とする請求項１３に記載のアダプタ。
【請求項１５】  前記係合突部は、電子機器が装着される際に、該電子機器の側部に当接して変位するよう構成されており、この変位によって該係合突部と前記係合孔部との係合が解除され、前記押圧部材が第２の位置から第１の位置に向けて変位可能になることを特徴とする請求項１４に記載のアダプタ。
【請求項１６】  前記シャーシは、該シャーシの前記第２のコネクタの側から間隔を置いて延出し、前記電子機器の収容部を規定する１対の腕部を有しており、該腕部の一方に前記イジェクトレバー、他方に前記弾性片が配置されていることを特徴とする請求項１４または１５に記載のアダプタ。
【請求項１７】  前記押圧部材は、前記第２のコネクタの端子を挿通する突出口を有することを特徴とする請求項１ないし１６のいずれかに記載のアダプタ。
【請求項１８】  前記複数の電気接続部を備えた電子機器は、半導体メモリカード、インターフェースカード、またはハードディスクであることを特徴とする請求項１ないし１７のいずれかに記載のアダプタ。
【請求項１９】  前記押圧部材は第１の位置で前記第２のコネクタの端子を露出し、第２の位置で該コネクタの端子を覆うことを特徴とする請求項１ないし１８のいずれかに記載のアダプタ。
【請求項２０】  前記イジェクトレバーは、その先端を覆うキャップを有し、前記電子機器を前記第２のコネクタに接続する際、該電子機器の側部に当接する案内突部を該キャップの側面に設けたことを特徴とする請求項１ないし１９のいずれかに記載のアダプタ。
【請求項２１】  前記１対の腕部は、長腕部と、該長腕部より長さが短い短腕部とを有し、前記短腕部に前記イジェクトレバーが設けられている請求項１ないし２０のいずれかに記載のアダプタ。
【請求項２２】  前記押圧部材は、前記電子機器に対してその幅方向のほぼ中央位置から両外方に沿って面接触または点接触にて押圧することを特徴とする請求項１ないし２１のいずれかに記載のアダプタ。
【手続補正３】
【補正対象書類名】明細書
【補正対象項目名】００１６
【補正方法】変更
【補正の内容】
【００１６】
（１）  電子機器の電気接続部を当該電子機器と異なる電子機器用のスロットの接点に電気的に接続するアダプタであって、
前記スロットの接点と電気的に接続する第１のコネクタと、
前記第１のコネクタと電気的に接続され、前記電子機器の電気接続部と電気的に接続する第２のコネクタと、
前記第１および第２のコネクタが設けられたシャーシと、
前記シャーシに設けられ、前記電子機器の電気接続部と前記第２のコネクタとを電気的に接続可能にする第１の位置と前記電子機器の電気接続部と前記第２のコネクタとを電気的に接続できなくする第２の位置との間で変位し、前記第１の位置から前記第２の位置に向けて前記電子機器を押圧可能な押圧部材と、
前記シャーシに対して移動可能に設けられたイジェクトレバーと、
前記イジェクトレバーの動きを前記押圧部材に伝達する伝達部材を有することを特徴とするアダプタ。
【手続補正４】
【補正対象書類名】明細書
【補正対象項目名】００１７
【補正方法】変更
【補正の内容】
【００１７】
（２）  前記伝達部材は、前記シャーシに回転軸を介して回動可能に設けられ、一端が第１の連係部を介して前記押圧部材と連係され、他端が第２の連係部を介して前記イジェクトレバーと連係され、前記押圧部材と前記イジェクトレバーとを連動させるアームであることを特徴とする上記（１）に記載のアダプタ。
【手続補正５】
【補正対象書類名】明細書
【補正対象項目名】００１８
【補正方法】変更
【補正の内容】
【００１８】
（３）  前記押圧部材の両端部を常時第１の位置から第２の位置に向けて付勢する一対の付勢部材を具備し、前記押圧部材が前記付勢部材の付勢力によって第１の位置から第２の位置に向けて変位するよう構成されていることを特徴とする上記（１）または（２）に記載のアダプタ。
【手続補正６】
【補正対象書類名】明細書
【補正対象項目名】００１９
【補正方法】変更
【補正の内容】
【００１９】
（４）  前記回転軸は中心部に回転軸を有し、前記シャーシと一体的に形成されていることを特徴とする上記（１）または（２）に記載のアダプタ。
【手続補正７】
【補正対象書類名】明細書
【補正対象項目名】００２０
【補正方法】変更
【補正の内容】
【００２０】
（５）  前記回転軸に支持された前記アームの離脱を防止する離脱防止手段を有することを特徴とする上記（２）ないし（４）のいずれかに記載のアダプタ。
【手続補正８】
【補正対象書類名】明細書
【補正対象項目名】００２１
【補正方法】変更
【補正の内容】
【００２１】
（６）  前記アームの回転角度を制限する制限手段を有することを特徴とする上記（２）ないし（５）のいずれかに記載のアダプタ。
【手続補正９】
【補正対象書類名】明細書
【補正対象項目名】００２２
【補正方法】変更
【補正の内容】
【００２２】
（７）  前記第１の連係部は、前記押圧部材の幅方向のほぼ中央部に位置するよう構成されていることを特徴とする上記（１）ないし（６）のいずれかに記載のアダプタ。
【手続補正１０】
【補正対象書類名】明細書
【補正対象項目名】００２３
【補正方法】変更
【補正の内容】
【００２３】
（８）  前記第１の連係部は、前記アームおよび前記押圧部材の一方に設けられた突部と、他方に設けられた孔部とによって構成されていることを特徴とする上記（２）ないし（７）のいずれかに記載のアダプタ。
【手続補正１１】
【補正対象書類名】明細書
【補正対象項目名】００２４
【補正方法】変更
【補正の内容】
【００２４】
（９）  前記孔部は、前記突部の直径とほぼ同一の幅を有する長孔状に形成されており、前記突部が前記アームの回動時に前記孔部に沿って移動可能に構成されていることを特徴とする上記（８）に記載のアダプタ。
【手続補正１２】
【補正対象書類名】明細書
【補正対象項目名】００２５
【補正方法】変更
【補正の内容】
【００２５】
（１０）  前記アームは、金属板材によって形成されており、前記突部は、前記アームの端部をバーリング加工することによって前記アームと一体的に形成されていることを特徴とする上記（８）または（９）に記載のアダプタ。
【手続補正１３】
【補正対象書類名】明細書
【補正対象項目名】００２６
【補正方法】変更
【補正の内容】
【００２６】
（１１）  前記第２の連係部は、前記アームの他端に設けられた連係片と、前記イジェクトレバーに設けられ、前記連係片と係合する連係片収容部とによって構成されていることを特徴とする上記（２）ないし（１０）のいずれかに記載のアダプタ。
【手続補正１４】
【補正対象書類名】明細書
【補正対象項目名】００２７
【補正方法】変更
【補正の内容】
【００２７】
（１２）  前記連係片は、前記連係片収容部に対する該連係片の位置を調節する段部を介して前記アーム本体と一体的に形成されていることを特徴とする上記（１１）に記載のアダプタ。
【手続補正１５】
【補正対象書類名】明細書
【補正対象項目名】００２８
【補正方法】変更
【補正の内容】
【００２８】
（１３）  前記押圧部材が第２の位置に到達した際に、該押圧部材を第２の位置に保持する保持手段を有することを特徴とする上記（１）ないし（１２）のいずれかに記載のアダプタ。
【手続補正１６】
【補正対象書類名】明細書
【補正対象項目名】００２９
【補正方法】変更
【補正の内容】
【００２９】
（１４）  前記保持手段は、前記押圧部材に固定され、係合突部を有する弾性片と、前記シャーシに形成された係合孔部とから構成されており、該弾性片の係合突部が、前記シャーシに形成された係合孔部に係合することによって、前記押圧部材を第２の位置に保持するよう構成されていることを特徴とする上記（１３）に記載のアダプタ。
【手続補正１７】
【補正対象書類名】明細書
【補正対象項目名】００３０
【補正方法】変更
【補正の内容】
【００３０】
（１５）  前記係合突部は、電子機器が装着される際に、該電子機器の側部に当接して変位するよう構成されており、この変位によって該係合突部と前記係合孔部との係合が解除され、前記押圧部材が第２の位置から第１の位置に向けて変位可能になることを特徴とする上記（１４）に記載のアダプタ。
【手続補正１８】
【補正対象書類名】明細書
【補正対象項目名】００３１
【補正方法】変更
【補正の内容】
【００３１】
（１６）  前記シャーシは、該シャーシの前記第２のコネクタの側から間隔を置いて延出し、前記電子機器の収容部を規定する１対の腕部を有しており、該腕部の一方に前記イジェクトレバー、他方に前記弾性片が配置されていることを特徴とする上記（１４）または（１５）に記載のアダプタ。
【手続補正１９】
【補正対象書類名】明細書
【補正対象項目名】００３２
【補正方法】変更
【補正の内容】
【００３２】
（１７）  前記押圧部材は、前記第２のコネクタの端子を挿通する突出口を有することを特徴とする上記（１）ないし（１６）のいずれかに記載のアダプタ。
【手続補正２０】
【補正対象書類名】明細書
【補正対象項目名】００３３
【補正方法】変更
【補正の内容】
【００３３】
（１８）  前記複数の電気接続部を備えた電子機器は、半導体メモリカード、インターフェースカード、またはハードディスクであることを特徴とする上記（１）ないし（１７）のいずれかに記載のアダプタ。
【手続補正２１】
【補正対象書類名】明細書
【補正対象項目名】００３４
【補正方法】変更
【補正の内容】
【００３４】
（１９）  前記押圧部材は第１の位置で前記第２のコネクタの端子を露出し、第２の位置で該コネクタの端子を覆うことを特徴とする上記（１）ないし（１８）のいずれかに記載のアダプタ。
【手続補正２２】
【補正対象書類名】明細書
【補正対象項目名】００３５
【補正方法】変更
【補正の内容】
【００３５】
（２０）  前記イジェクトレバーは、その先端を覆うキャップを有し、前記電子機器を前記第２のコネクタに接続する際、該電子機器の側部に当接する案内突部を該キャップの側面に設けたことを特徴とする上記（１）ないし（１９）のいずれかに記載のアダプタ。
【手続補正２３】
【補正対象書類名】明細書
【補正対象項目名】００３６
【補正方法】変更
【補正の内容】
【００３６】
（２１）  前記１対の腕部は、長腕部と、該長腕部より長さが短い短腕部とを有し、前記短腕部に前記イジェクトレバーが設けられている上記（１）ないし（２０）のいずれかに記載のアダプタ。
【手続補正２４】
【補正対象書類名】明細書
【補正対象項目名】００３７
【補正方法】変更
【補正の内容】
【００３７】
（２２）  前記押圧部材は、前記電子機器に対してその幅方向のほぼ中央位置から両外方に沿って面接触または点接触にて押圧することを特徴とする上記（１）ないし（２１）のいずれかに記載のアダプタ。